【事件の表示】
　特許第２７９３５０６号「合板熱プレス用離型板」の請求項１ないし９に係る特許に対する特許異議の申立てについて、次のとおり決定する。
【結論】
　訂正を認める。
　特許第２７９３５０６号の請求項１に係る特許を維持する。
【理由】
（１）手続の経緯
　特許第２７９３５０６号の請求項１〜９に係る発明についての出願は、平成６年６月２４日に出願され、平成１０年６月１９日に、その発明について特許の設定登録がなされ、その後、その特許について、異議申立人ヤマウチ株式会社により特許異議の申立てがなされ、取消理由通知がなされ、その指定期間内である平成１１年８月３日に訂正請求がなされたものである。
（２）訂正の適否ついての判断
ア．訂正の内容
　特許権者が求めている訂正の内容は、以下のとおりである。
　ａ．特許請求の範囲の請求項１を削除し、請求項２中の「磁性層と接着層を介して接着一体化されたクッション層が離型層と接着されている」を「磁性層とプリプレグからなる接着層を介して接着一体化されたアクリルゴムからなるクッション層がＦＥＰからなる離型層と加圧加熱により直接接着一体化されている」に訂正するとともに、この請求項番号を請求項１とする。
　ｂ．特許請求の範囲の請求項３〜９を削除する。
　ｃ．明細書段落【０００６】の「磁性層と離型層をプリプレグからなる接着層を介して接着一体化したもの、或いは磁性層と接着層を介して接着一体化したクッション層を離型層に接着したものである」を「磁性層とプリプレグからなる接着層を介して接着一体化したアクリルゴムからなるクッション層をＦＥＰからなる離型層に加圧加熱により直接接着一体化したものである」に訂正する。
　ｄ．明細書段落【００１１】の「磁性層と離型層（両者間にクッション層を介在させるときは当該クッション層）」を「磁性層とクッション層」に訂正する。
イ．訂正の目的の適否、新規事項の有無、及び拡張・変更の在否
　上記訂正事項ａは、請求項１を削除し、請求項２中の「接着層」を「プリプレグからなる接着層」に、「クッション層が離型層と接着されている」を「アクリルゴムからなるクッション層がＦＥＰからなる離型層と加圧加熱により直接接着一体化されている」に特定したものであるから、特許請求の範囲の減縮を目的とするものに該当する。
　上記訂正事項ｂは、特許請求の範囲の減縮を目的とするものに該当する。
　上記訂正事項ｃ．ｄは、特許請求の範囲を減縮したことにともなう発明の詳細な説明における訂正であるから、明りょうでない記載の釈明を目的とするものに該当する。
　そして、これらの訂正は、願書に添付した明細書または図面に記載された範囲を越えるものとはみられないから新規事項の追加に該当せず、また特許請求の範囲を実質的に拡張または変更するものではない。
ウ．独立特許要件
　（訂正明細書の請求項１に係る発明）
　訂正明細書の請求項１に係る発明は、その特許請求の範囲の請求項１に記載された次の事項により特定されるものである。
「磁性層とプリプレグからなる接着層を介して接着一体化されたアクリルゴムからなるクッション層がＦＥＰからなる離型層と加圧加熱により直接接着一体化されている合板用熱プレス用離型板。」
　（引用刊行物に記載の発明）
訂正明細書の請求項１に係る発明（以下、本件発明という。）に対して、当審が平成１１年６月２日付けで通知した取消理由で引用した刊行物１（実公平５−３６６８２号公報）には、クッション機能を有する合板ホットプレス用離型板として、ゴムあるいはプラスチックに酸化鉄を混入した磁石シート（磁性層）の少なくとも片面に、離型性フィルムあるいは離型性ゴム等の離型性材（離型層）を接着させた合板用ホットプレス用離型板が記載されており、離型性材として，フッ素樹脂フィルムやシリコンゴム又はフッ素ゴム等が使用されることが記載されている。
　刊行物２（特開平５−３０１２９７号公報）には、熱プレス用のクッション材として、表面材とシリコーンゴムやフッ素ゴム等の芯材との接着に、ガラス織布基材にエポキシ樹脂を含浸させたプリプレグを用いることが記載されている。
　刊行物３（実公平３−３６８号公報）には、成形プレス用クッション材として、表面部とコア部とを一体化する接着剤層として、ナイロン不織布にエポキシ樹脂を含浸させたプリプレグを用いること、クッション層を成す表面繊維層の表面に、更に離型層を形成することが記載されている。
　刊行物４（実公平４−２８７５５号公報）には、緩衝材或いは離型材として使用される熱プレス用シートとして、フッ素ゴム層の表面全体を離型性、耐熱性に優れたＦＥＰ表面層で被覆することが記載されている。
　刊行物５（実願昭６１−１６８８８７号（実開昭６３−７５３２９号）のマイクロフィルム）には、成形プレス用クッション材の表面被膜として，ＰＴＦＥやＦＥＰ等のフッ素系樹脂を用いることが記載されている。
　（対比・判断）
　本件発明と上記刊行物１〜５に記載の発明を対比すると、これら刊行物に記載の発明は、本件発明を特定する事項である「磁性層とプレプリグからなる接着層を介して接着一体化されたアクリルゴムからなるクッション層がＦＥＰからなる離型層と加圧加熱により直接接着一体化されている」ことを具備していない。
　そして、本件発明は、当該事項を具備することにより「（合板熱プレス離型板）を構成する各層を積層するとともにそれらを加熱加圧するだけで、（合板熱プレス離型板を、）磁性層やクッション層を構成するゴムの加硫成形と各層間の接着を同時に行って、得られる」という明細書に記載の顕著な効果を奏するものであるから、本件発明が上記刊行物１〜５に記載の発明から容易に発明をすることができたものとはいえない。
　したがって、本件発明は特許出願の際独立して特許を受けることができるものである。
エ．むすび
　以上のとおりであるから、上記訂正は、特許法第１２０条の４第２項及び同条第３項で準用する第１２６条第２〜４項の規定に適合するので、当該訂正を認める。
（３）特許異議の申立てについての判断
ア．申立ての理由の概要
　申立人ヤマウチ株式会社は、証拠として甲第１号証（実公平５−３６６８２号公報）、甲第２号証（特開平５−３０１２９７号公報）、甲第３号証（実公平３−３６８号公報）、甲第４号証（実公平４−２８７５５号公報）、甲第５号証（実願昭６１−１６８８８７号（実開昭６３−７５３２９号）のマイクロフィルム）を提出し、請求項１〜９に係る発明は、特許法第２９条第２項に違反してなされたものであるから、請求項１〜９に係る発明の特許は取り消されべき旨主張している。
イ．判断
　請求項１，３〜９に係る発明は、訂正の結果削除され、請求項２に係る発明は、上記本件発明に訂正された。
　甲第１〜５号証は上記刊行物１〜５であるから、本件発明は、上記（２）ウ．に示したように、甲第１〜５に記載された発明に基づいて当業者が容易に発明をすることができたものとすることはできない。
ウ．むすび
　以上のとおりであるから、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１１年１０月８日（１９９９．１０．８）
【訂正の要旨】
　特許第２７９３５０６号発明の明細書を本件訂正請求書に添付した訂正明細書の通りに訂正する、即ち、特許請求の範囲の減縮を目的として下記ａ、ｂのとおりに訂正し、また、明りょうでない記載の釈明を目的として下記ｃ、ｄのとおり訂正する。
　ａ．特許請求の範囲の請求項１を削除し、請求項２中の「磁性層と接着層を介して接着一体化されたクッション層が離型層と接着されている」（特許公報第１欄第５行〜第６行）を「磁性層とプリプレグからなる接着層を介して接着一体化されたアクリルゴムからなるクッション層がＦＥＰからなる離型層と加圧加熱により直接接着一体化されている」と訂正するとともに、この請求項番号を請求項１とする。
　ｂ．特許請求の範囲の請求項３〜９を削除する。
　ｃ．明細書段落【０００６】の「磁性層と離型層をプリプレグからなる接着層を介して接着一体化したもの、或いは磁性層と接着層を介して接着一体化したクッション層を離型層に接着したものである」（特許公報第３欄第３１行〜第３５行）を「磁性層とプリプレグからなる接着層を介して接着一体化したアクリルゴムからなるクッション層をＦＥＰからなる離型層に加圧加熱により直接接着一体化したものである」と訂正する。
　ｄ．明細書段落【００１１】の「磁性層と離型層（両者間にクッション層を介在させるときは当該クッション層）」（特許公報第４欄第６行〜第８行）を「磁性層とクッション層」と訂正する。
（５４）【発明の名称】
合板熱プレス用離型板
（５７）【特許請求の範囲】
　【請求項１】　
磁性層とプリプレグからなる接着層を介して接着一体化されたアクリルゴムからなるクッション層がＦＥＰからなる離型層と加圧加熱により直接接着一体化されている
【発明の詳細な説明】
　　　【０００１】
　　【産業上の利用分野】
　本発明は、例えば、床材、化粧合板、ＷＰＣ（Ｗｏｏｄ　Ｐｌａｓｔｉｃｓ　Ｃｏｍｂｉｎａｔｉｏｎ）板等の単板を基材に重ね合せ加熱加圧して得られる木材を製造する際に使用するホットプレス等に取付ける熱プレス用離型板に関する。
　　　【０００２】
　　【従来の技術】
　従来、ベニヤ板やＷＰＣ処理板等の合板製造においては、木材に塗布したり含浸させた接着剤がホットプレスの熱盤に付着するのを防ぐ必要があった。そのため、合板と熱盤の離型板として、ＰＴＦＥ樹脂加工をしたアルミ板やＰＴＦＥシート等をフェルト等からなるクッション層を介して熱盤に取付けることが行われている。また、熱盤への取付容易性を考慮して、磁石シートと離型材層を直接接着した積層板を離型板として用いることが実公平５−３６６８２号公報で提案されている。
　　　【０００３】
　しかし、後者にあっては磁石シートと離型材層例えばシリコーンゴム層との接着力が不十分で短期間の使用により剥離してしまい、その都度新しいものに取替えねばならず不経済であった。
　　　【０００４】
　また、ＷＰＣ処理は塩化ビニル、スチレン、メチルメタアクレート、アクリロニトリル、酢酸ビニル等のモノマーを使用するが、これらのモノマーは含浸性が強く焼結構造のＰＴＦＥの隙間に侵入しＰＴＦＥを短期間に破壊してしまうので、ＰＴＦＥを用いた離型板は著しく耐久性に劣り、消耗品的な使用となりきわめて経済性の悪いものであった。
　　　【０００５】
　　【発明の目的、構成、効果、】
　そこで、本発明の目的は、磁石シートと離型材層とを積層したもので両者が強力に接着一体化した熱プレス用離型板を提供することにある。本発明の他の目的は、特にＷＰＣ板の熱プレスであってもモノマーに侵されることがない耐久性に優れた熱プレス用離型板を提供することにある。
　　　【０００６】
　以上の目的を達成するため、本発明に係る合板熱プレス用離型板は、
磁性層とプリプレグからなる接着層を介して接着一体化したアクリルゴムからなるクッション層をＦＥＰからなる離型層に加圧加熱により直接接着一体化したものである
　　　【０００７】
　磁性層は酸化鉄を混入した耐熱ゴム例えばアクリルゴムで形成し、離型層はフッ素系ポリマーで形成し、接着層はプリプレグ例えばエポキシ樹脂含浸ナイロン不織布で形成し、固着防止層はポリエステル不織布で形成することができる。
　　　【０００８】
　離型層をフッ素系ポリマーとしてＦＥＰ樹脂により形成し、アクリルゴムで形成したクッション層と積層する場合には、両者は特に接着層を介することなく、加圧加熱による離型板の成形工程において直接接着一体化する。
　　　【０００９】
　離型層をＦＥＰ樹脂で形成する場合には必ずしも磁性層やクッション層と積層する必要はなく、ＦＥＰ樹脂加工をしたアルミ板やＦＥＰ樹脂シートを熱盤に取付けて、少なくとも合板に接触する離型層をＦＥＰ樹脂で形成して合板熱プレス用離型板とすることができる。
　　　【００１０】
　離型層をＰＴＦＥ樹脂で形成することができ、この場合クッション層と積層する際には接着剤例えばプリプレグを介して接着することができる。
　　　【００１１】
　本発明にあっては、磁性層と
クッション層の
　　　【００１２】
　また、磁性層のベースポリマーとして耐熱ゴムを使用したので、これが熱プレス時に溶融して熱盤に溶着することがない。ただし、磁性層を直接熱盤に磁着させずに表面に被覆した固着防止層を介して磁着させれば熱盤との溶着防止に完全を期することができる。また、耐熱ゴムのクッション層を設けるようにしたので十分な緩衝機能を要求される用途にも対応することができる。
　　　【００１３】
　本発明において、離型層を熱溶融成形可能なＦＥＰ樹脂で形成した場合には、ＷＰＣ処理板等に使用されているモノマーが離型層に浸入する隙間がないため、離型性や平滑性を損なわれずに長期間の使用に耐えることができる。
　　　【００１４】
　本発明は、接着層を介することにより離型層にＰＴＦＥ樹脂を用いて他層に接着できるので、フッ素系ポリマーの材料選択が制限されない利点がある。
　　　【００１５】
　　【実施例】
　以下、本発明に係る合板熱プレス用離型板の一実施例について添付図面を参照して説明する。図６は、本発明に係る合板熱プレス用離型板の使用状態を示す概略図で、合板用熱プレス１は上熱盤２と下熱盤３とで構成され、加圧加熱処理すべき合板４を下熱盤３に取付けた緩衝材５と上熱盤２に磁着等して取付けた離型板６を介してホットプレスするものである。
　　　【００１６】
　図１ないし図５は上記離型板６の実施形態を示し、図１は酸化鉄を混入した未加硫のアクリルゴム製磁性シート（シーアイ化成株式会社製ＴＰＳ−０．８）からなる磁性層７とフッ素系樹脂からなる離型層８をエポキシ樹脂含浸ナイロン不織布（菱電化成株式会社製ＺＳ−３Ｚ２５）からなる中間の接着層９を挟んで加圧加熱して接着一体化して離型板６を形成したものである。離型層８はＰＴＦＥシート（淀川化成株式会社製テフロンシートＦ４片面処理）或いはＦＥＰシート（ダイキン工業株式会社製ネオフロンフィルムＮＦ０１００Ｂ−１）で形成される。この離型板６の厚みは約１ｍｍに形成してある。
　　　【００１７】
　図２は上記磁性層７、接着層９、未加硫のアクリルゴムシート（日本ゼオン株式会社製ＡＲ−５１）からなるクッション層１０及び上記ＦＥＰシートからなる離型層８をこの順で積層し同様に加圧加熱して接着一体化してクッション性を高めた離型板６を形成したもので、その厚みは約２ｍｍに形成してある。
　　　【００１８】
　図３及び図４は、図１及び図２における磁性層７の表面にポリエステル不織布からなる固着防止層１１を積層して加圧加熱により接着一体化して上熱盤２との固着防止を図ったものである。また、図５は図２における離型層８を上記ＰＴＦＥシートで形成する場合に、クッション層１０との間に上記接着層９を介在させた積層体を加圧加熱して接着したものである。
　　　【００１９】
　なお、本発明に係る合板熱プレス用離型板は前記実施例に限定するものでなく、その要旨の範囲内で種々に変更することができる。例えば、磁性層やクッション層を形成する耐熱ゴムはアクリルゴムに限らず、フッ素ゴム、シリコーンゴム等の公知の材料を使用でき、ＦＥＰ樹脂の離型層は熱溶融成形可能な他のフッ素樹脂を使用できる。
　　　【００２０】
　また、本発明に係る合板熱プレス用離型板は、それを構成する各層を積層するとともにそれらを加熱加圧するだけで、磁性層やクッション層を形成するゴムの加硫成形と各層間の接着を同時に行って、得られる利点がある。
【図面の簡単な説明】
　【図１】　本発明の一実施例を示す断面図である。
　【図２】　本発明の他の実施例を示す断面図である。
　【図３】　本発明の他の実施例を示す断面図である。
　【図４】　本発明の他の実施例を示す断面図である。
　【図５】　本発明の他の実施例を示す断面図である。
　【図６】　本発明の使用状態を示す概略図である。
　　【符号の説明】
６：合板熱プレス用離型板
７：磁性層
８：離型層
９：接着層
１０：クッション層
１１：固着防止層